(57)【要約】【課題】ゲートパネルを開く際にはゲートパネルの持上げ動作を必要とし、ゲートパネルを閉鎖状態にもたらす際には持上げ動作を不要とする。【解決手段】保護ゲート構造は、ゲートパネル１と、枠体１０、１１ｂと、枠体１１ｂに回転可能に支持された回転軸３と、ゲートパネル１と回転軸３とを連結する連結部材２とを備える。枠体１０，１１ｂは、ゲートパネルが閉鎖状態にあるとき連結部材２の表裏面を挟み込む１対の側壁１９，２０を含む。連結部材２が１対の側壁によって挟み込まれている状態ではゲートパネル１の回転が阻止される。ゲートパネル１が連結部材２と共に上方に持ち上げられた状態では連結部材２は側壁２０の上端の上に位置してゲートパネルの回転を許容する。ゲートパネルが開放状態にあるとき連結部材２は側壁１９の上端によって下方から支えられる。【選択図】        図７
2004150053.tif 000002
【特許請求の範囲】
【請求項１】
出入り口を閉鎖するゲートパネルと、
固定された枠体と、
前記枠体に回転可能に支持された回転軸と、
前記ゲートパネルと前記回転軸とを連結する連結部材とを備え、
前記枠体は、前記ゲートパネルが閉鎖状態にあるとき前記連結部材の表裏面を挟み込む１対の側壁を含み、
前記連結部材が前記１対の側壁によって挟み込まれている状態では前記ゲートパネルの回転が阻止され、前記ゲートパネルが前記連結部材とともに所定量だけ上方に持ち上げられた状態では前記連結部材は前記側壁の上端の上に位置して前記ゲートパネルの回転を許容するものであり、
前記ゲートパネルが開放状態にあるとき前記連結部材は前記側壁の上端によって下方から支えられている、保護ゲート構造。
【請求項２】
前記枠体は、前記１対の側壁を形成するものであって前記連結部材を受け入れる第１溝と、前記回転軸を受け入れるものであって前記第１溝に連なって形成される第２溝とを有し、
前記第２溝の深さは、前記第１溝の深さよりも大きい、請求項１に記載の保護ゲート構造。
【請求項３】
前記枠体は、前記回転軸側に位置する前記ゲートパネルの一方側辺に沿って延びる回転軸側側部フレームと、前記ゲートパネルの他方側辺に沿って延びる開放側側部フレームと、前記ゲートパネルの底辺に沿って延びる底部フレームとを備え、
前記ゲートパネルの他方側辺には突出部が設けられ、
前記開放側フレームには、前記突出部を受け入れる突出部受入溝が形成され、
前記ゲートパネルが閉鎖状態にあるとき前記突出部が前記突出部受入溝に嵌り込んでおり、
前記ゲートパネルが前記所定量だけ上方に持ち上げられた状態では前記突出部が前記突出部受入溝から出て前記ゲートパネルの回転を許容するものである、請求項１または２に記載の保護ゲート構造。
【請求項４】
開放状態になっている前記ゲートパネルを前記閉鎖位置に回転復帰させるための弾性手段を備える、請求項１〜３のいずれかに記載の保護ゲート構造。
【請求項５】
前記弾性手段は、前記回転軸上に取付けられたねじりばねである、請求項４に記載の保護ゲート構造。
【請求項６】
前記開放側側部フレームと前記ゲートパネルとの間に、前記ゲートパネルの閉鎖状態をロックするためのロック手段を備える、請求項３に記載の保護ゲート構造。
【発明の詳細な説明】
【０００１】
【発明の属する技術分野】
この発明は、子供やペットが特定の出入り口から出入りすることを防止するための保護ゲート構造に関するものである。
【０００２】
【従来の技術】
この種の保護ゲート構造は、通常、固定された枠体と、この枠体に回動可能に支持されて出入り口を閉鎖するゲートパネルと、ゲートパネルを閉鎖状態にロックしておくためのロック手段とを備える。ロック手段は手動で操作可能であり、ロック手段によるロックを解除するとゲートパネルを回動させることができる。
【０００３】
手動で操作できるロック手段を備えた保護ゲート構造の場合、子供がロック手段を触ってロックを解除してしまうおそれがある。そのような保護ゲート構造では不意にドアが開くおそれがあるので、子供の安全を確保することができない。
【０００４】
登録実用新案第３０６３８３３号公報は、子供に対する安全性を高める安全ドア構造を開示している。具体的には、この公報に開示された安全ドア構造では、ドアに回転取っ手部の回転によって制御する係合ロッドを設け、さらにドアの底端に底台のピン受入穴に入り込む係入ピンを設けている。ドアを開ける際には、回転取っ手部を回転操作して係合ロッドによるロックを解除し、同時にドア全体を持ち上げて係入ピンをピン受入穴から脱出させる動作を行わなければならない。
【０００５】
幼い子供が上述のような２つの動作を同時に行うことは不可能と思われるので、安全性に優れたものとなる。
【０００６】
【特許文献１】
登録実用新案第３０６３８３３号公報（段落番号００１７，００１８、図２，３，６，７）
【０００７】
【発明が解決しようとする課題】
登録実用新案第３０６３８３３号公報に開示された安全ドア構造では、ドアの底端に係入ピンを設け、ドアの底端に沿って延びる底台にピン受入穴を設けている。そのため、ドアを開いた状態から閉鎖状態にする場合にもドアを一旦上に持ち上げて係入ピンをピン受入穴の上方に位置させる必要がある。ドアを閉鎖状態にもたらす際のドア持ち上げ動作は安全性とは無関係であるので、そのような余分な動作を省略したい。
【０００８】
ドアと底台とは別の部材であるが、それらの両部材を用意するにあたり、係入ピンとピン受入穴とを正確に位置決めする必要がある。そのような位置決め作業は、面倒である。
【０００９】
さらに、係入ピンとピン受入穴との係合によるドアの回転禁止構造は、強度的に弱いと思われる。
【００１０】
この発明の目的は、ゲートパネル（ドア）を開く際にはゲートパネルの持ち上げ動作を必要とするが、ゲートパネルを閉鎖状態にもたらす際には持ち上げ動作を必要としない保護ゲート構造を提供することである。
【００１１】
この発明の他の目的は、正確な位置決め作業を特に必要とせず、しかも強度的に優れたゲートパネルの回転禁止構造を提供することである。
【００１２】
【課題を解決するための手段】
この発明に従った保護ゲート構造は、出入り口を閉鎖するゲートパネルと、固定された枠体と、枠体に回転可能に支持された回転軸と、ゲートパネルと回転軸とを連結する連結部材とを備える。枠体は、ゲートパネルが閉鎖状態にあるとき連結部材の表裏面を挟み込む１対の側壁を含む。連結部材が１対の側壁によって挟み込まれている状態では、ゲートパネルの回転が阻止される。ゲートパネルが連結部材とともに所定量だけ上方に持ち上げられた状態では、連結部材は側壁の上端の上に位置してゲートパネルの回転を許容する。ゲートパネルが開放状態にあるとき、連結部材は側壁の上端によって下方から支えられている。
【００１３】
上記構成によれば、開放状態にあるゲートパネルは側壁の上端によって下方から支えられて高い位置に維持されているので、閉鎖状態にもたらす際にゲートパネルを持ち上げる動作を行う必要がない。ゲートパネルを閉鎖位置にまで回転復帰させれば、ゲートパネルが自重によって下方に下がり、連結部材が１対の側壁に挟み込まれるようになる。
【００１４】
１対の側壁によって連結部材を挟み込んでゲートパネルの回転を禁止する構造は、ピンと穴との係合による回転禁止構造に比べて、強度的に優れている。
【００１５】
好ましくは、枠体は、１対の側壁を形成するものであって連結部材を受け入れる第１溝と、回転軸を受け入れるものであって第１溝に連なって形成される第２溝とを有する。第２溝の深さは、第１溝の深さよりも大きい。このような第１溝および第２溝の加工は、非常に簡単である。
【００１６】
一つの実施形態では、枠体は、回転軸側に位置するゲートパネルの一方側辺に沿って延びる回転軸側側部フレームと、ゲートパネルの他方側辺に沿って延びる開放側側部フレームと、ゲートパネルの底辺に沿って延びる底部フレームとを備える。ゲートパネルの他方側辺には突出部が設けられ、開放側フレームには、突出部を受け入れる突出部受入溝が形成される。ゲートパネルが閉鎖状態にあるとき、突出部が突出部受入溝に嵌り込んでいる。ゲートパネルが所定量だけ上方に持ち上げられた状態では、突出部が突出部受入溝から出てゲートパネルの回転を許容するものである。この実施形態によれば、ゲートパネルの両側辺部に回転を禁止する構造を設けているので、強度的により優れたものとなる。
【００１７】
好ましくは、保護ゲート構造は、開放状態になっているゲートパネルを閉鎖位置に回転復帰させるための弾性手段を備える。弾性手段を備えることにより、ゲートパネルは確実に閉鎖状態にもたらされるので、安全性が向上する。弾性手段は、例えば、回転軸上に取付けられたねじりばねである。
【００１８】
好ましくは、開放側側部フレームとゲートパネルとの間に、ゲートパネルの閉鎖状態をロックするためのロック手段を備える。このようにすれば、ゲートパネルを開くにはロック手段によるロックの解除操作とゲートパネルの持ち上げ動作とが必要となるので、幼い子供が不意にゲートパネルを開いてしまうというおそれが無くなる。
【００１９】
【発明の実施の形態】
図１に示す保護ゲート構造は、子供やペットが特定の出入り口から出入りすることを防止するためのものであり、ゲートパネル１と枠体１０とを備える。枠体１０は室内の壁等に固定され、ゲートパネル１は枠体１０に回転可能に支持される。図１は、ゲートパネル１が出入り口を閉鎖している状態を示している。
【００２０】
より具体的に説明する。枠体１０は、ゲートパネル１の一方側辺１ａに沿って延びる回転軸側側部フレーム１１と、ゲートパネル１の他方側辺１ｂに沿って延びる開放側側部フレーム１２と、ゲートパネル１の底辺１ｃに沿って延びる底部フレーム１３とを備える。回転軸側側部フレーム１１は、上部に上端部材１１ａを有し、下部に下端部材１１ｂを有する。開放側側部フレーム１２も、上部に上端部材１２ａを有し、下部に下端部材１２ｂを有する。
【００２１】
回転軸側側部フレーム１１の上端部材１１ａおよび下端部材１１ｂ、ならびに開放側側部フレーム１２の上端部材１２ａおよび下端部材１２ｂには、それぞれナット部材１５およびそれに螺合する調整ねじ１４が取付けられている。調整ねじ１４の長さを適宜調節することによって、枠体１０を室内の壁等に固定することができる。
【００２２】
ゲートパネル１の一方側辺１ａに扁平な形状の連結部材２が固定され、この連結部材２に円形断面形状の回転軸３が固定される。回転軸３は、回転軸側側部フレーム１１の上端部材１１ａおよび下端部材１１ｂの間に回転自在に支持される。
【００２３】
ここで、連結部材２および回転軸３の下方端部分と回転軸側側部フレーム１１の下端部材１１ｂとの連結構造に注目する。図４は、図１の線Ｃ−Ｃに沿って見た断面図であり、図７は、下端部材１１ｂのみを断面で示した部分断面正面図である。図８は、図７の線Ｄ−Ｄに沿って見た断面図である。
【００２４】
これらの図から明らかなように、回転軸側側部フレーム１１の下端部材１１ｂには、その上端面から下方に延びる第１溝１７および第２溝１８が形成されている。第１溝１７は、扁平な形状を有しており、上方から差し込まれる扁平な連結部材２を受け入れている。図示した実施形態では、連結部材２の下方端は、第１溝１７の底面に当接している。第２溝１８は円柱形の溝であり、上方から差し込まれる円形の回転軸３を受け入れている。図示した実施形態では、回転軸３の下方端は、第２溝１８の底面に当接している。回転軸３を受け入れている第２溝１８の深さは、連結部材２を受け入れている第１溝１７の深さよりも大きい。
【００２５】
ゲートパネル１は、連結部材２および回転軸３とともに所定量だけ上方に持ち上げられることができるようになっている。回転軸１１の上端部材１１ａには回転軸３の上方端を受け入れる上向き凹部が形成されているが、図１に示す閉鎖状態では、上向き凹部の底面と回転軸３の上方端との間には、回転軸３の上方への移動を許容するだけの隙間が存在している。
【００２６】
図１に示す閉鎖状態では、ゲートパネル１は下方高さに位置し、連結部材２が第１溝１７内に嵌っている。この状態では、図４および図８に示すように、回転軸側側部フレーム１１の下端部材１１ｂの１対の側壁１９，２０が連結部材２の表裏面を挟み込んでいる。そのため、ゲートパネル１の回転が阻止される。
【００２７】
図９および図１０は、図７および図８に対応する図であり、ゲートパネル１とともに連結部材２および回転軸３が上方に持ち上げられている状態を示している。図９および図１０に示す状態では、連結部材２が第１溝１７から脱出している。言い換えれば、連結部材２の下方端が１対の側壁１９，２０の上端面よりも上に位置している。一方、回転軸３は、その下方端が依然として第２溝１８内に留まっている。したがって、ゲートパネル１を持ち上げた状態において、ゲートパネル１を回転軸３を中心として回転させることができる。
【００２８】
図１に示すように、ゲートパネル１の他方側辺１ｂには、上方突出部４および下方突出部５が設けられている。図２は、図１の線Ａ−Ａに沿って見た断面図である。図示するように、開放側側部フレーム１２の下端部材１２ｂには、上方から差し込まれる下方突出部５を受け入れるための突出部受入溝１６が形成されている。図示した実施形態では、下方突出部５の先端の下面が突出部受入溝１６の底面によって支えられている。開放側側部フレーム１２の上端部材１２ａにも、上方から差し込まれる上方突出部４を受け入れるための突出部受入溝１６が形成されている。
【００２９】
図１に示す状態では、ゲートパネル１の一方側辺１ａ側において連結部材２が第１溝１７内に嵌ることによってゲートパネル１の回転を阻止し、他方側辺１ｂ側において上方突出部４および下方突出部５が突出部受入溝１６に嵌ることによってゲートパネル１の回転を阻止している。したがって、回転禁止構造が強固である。
【００３０】
図１に示す状態からゲートパネル１を所定量上方に持ち上げると、連結部材２、上方突出部４および下方突出部５が、それぞれ、第１溝１７および突出部受入溝１６から脱出することになるので、ゲートパネル１を回転させることが可能になる。
【００３１】
図３は、図１の線Ｂ−Ｂに沿って見た断面図である。図示するように、回転軸３にはねじりばね５０が取付けられている。回転軸３はばね係止部３ａを有している。ばね係止部３ａは、ねじりばね５０の一方端部５０ａと他方端部５０ｂとの間に位置する。また、回転軸側側部フレーム１１の上端部材１１ａにはストッパ２１が形成されており、ねじりばね５０の両端部５０ａ，５０ｂでストッパ２１を挟み込むようにしている。ねじりばね５０はゲートパネル１を常に閉鎖位置に回転復帰させるように作用する。
【００３２】
図３はゲートパネル１が閉鎖位置にある状態を示している。この状態から、例えば、ゲートパネルとともに回転軸３を反時計方向に回転させたとする。回転軸３の回転に伴い係止部３ａはねじりばね５０の一方端部５０ａを反時計方向に移動させる。一方、ねじりばね５０の他方端部５０ｂはストッパ２１に当接した状態を維持する。ゲートパネル１を開放位置に維持していた手を放すと、ねじりばね５０の弾性力によって図３に示す状態に復帰する。ゲートパネルを時計方向に回転させた場合も、同様である。
【００３３】
図示する保護ゲート構造は、開放側側部フレーム１２とゲートパネル１との間に、ゲートパネル１の閉鎖状態をロックするためのロック手段を備える。図１、図５および図６を参照して、ロック手段を具体的に説明する。
【００３４】
ロック手段は、軸３１を介してゲートパネル１に回動可能に取付けられたレバー３０と、軸３１および軸３３を介してレバー３０に固定された基端リンク３４と、軸３３を介して基端リンク３４に回動可能に連結された中間リンク３５と、軸３７を介して中間リンク３５に回動可能に連結された先端リンク３６とを備える。
【００３５】
ゲートパネル１には、軸３３を受け入れる円弧状長孔３２が形成されている。円弧状長孔３２の曲率中心は、軸３１である。先端リンク３６は、ゲートパネル１に固定されたガイド部材３８および３９によって上下を挟まれているので、水平方向の移動のみが可能である。基端リンク３４と中間リンク３５との間には、ピン４２および４３を介して引張りばね４１が連結されている。
【００３６】
引張りばね４１は、その弾性力によって、基端リンク３４と中間リンク３５とを屈曲させるように付勢する。図５に示す状態では、基端リンク３４と中間リンク３５とは思案点を越えてわずかに下方に屈曲しているが、それ以上の屈曲は、基端リンク３４の当たり止め３４ａが中間リンク３５に当接することによって阻止される。図６に示すようなレバー３０の回動操作は、引張りばね４１の付勢力によって加勢されるので楽である。また、図６に示す状態でレバー６から手を離すと、基端リンク３４と中間リンク３５との屈曲状態が引張りばね４１によって維持されるので、先端リンク３６が勝手に係止凹部４０内に嵌るということはない。
【００３７】
開放側側部フレーム１２の上端部材１２ａには、先端リンク３６の先端部を受け入れる係止凹部４０が形成されている。図５に示す状態では、先端リンク３６の先端部が係止凹部４０に嵌ることによって、ゲートパネル１の回転を阻止している。この状態からレバー３０を時計方向に回動させると、軸３３が円弧状長孔３２に沿って上方に移動し、それに伴い、先端リンク３６が後退して係止凹部４０から離れる。この状態が図６に示されている。図６に示す状態では、先端リンク３６と係止凹部４０との係止状態が解除されているので、ゲートパネル１を回転させることが可能である。
【００３８】
次に保護ゲート構造の動作について説明する。
【００３９】
図１に示す状態では、ゲートパネル１は、出入り口を閉鎖している。ゲートパネル１の回転は、ロック手段の先端リンク３６が係止凹部４０に嵌っていること（図５参照）、連結部材２が第１凹部１７に嵌って一対の側壁１９、２０によって挟み込まれていること（図４参照）、および上方突出部４および下方突出部５が突出部受入溝１６に嵌っていること（図２参照）によって確実に阻止される。
【００４０】
ゲートパネル１を開くためには、次の動作が必要である。まず、ロック手段のレバー３０を操作して先端リンク３６を係止凹部４０から外す（図６参照）。同時にゲートパネル１を所定量だけ上方に持ち上げる。その結果、連結部材２が第１凹部１７から脱出し（図９および図１０参照）、上方突出部４および下方突出部５が突出部受入溝１６から脱出する。
【００４１】
その状態でゲートパネル１を回転軸３を中心としてわずかに回転させると、図１１に示すように連結部材２の下端が回転軸側側部フレーム１１の下端部材１１ｂの側壁２０の上に載る。したがって、ゲートパネル１は、開放状態にあるとき常に下方に下がることなく高い位置に保たれる。
【００４２】
ゲートパネル１を閉鎖状態に戻す場合には、ゲートパネル１を保持している力を緩める。すると、ねじりばね５０（図３参照）の弾性力によってゲートパネル１は閉鎖位置にまで回転復帰し、その位置では自重によって下方に下がり連結部材２、上方突出部４および下方突出部５がそれぞれ第１凹部１７および突出部受入溝１６に嵌り込む。
【００４３】
最後にレバー３０を操作して先端リンク３６と係止凹部４０とを係合状態にする。この係合状態は、引張りばね４１の弾性力によって維持される（図５参照）。
【００４４】
図面を参照してこの発明の一実施形態を説明したが、この発明と同一の範囲内において、または均等の範囲内において、種々の修正や変形を加えることが可能である。
【図面の簡単な説明】
【図１】この発明の一実施形態を示す正面図である。
【図２】図１の線Ａ−Ａに沿って見た断面図である。
【図３】図１の線Ｂ−Ｂに沿って見た断面図である。
【図４】図１の線Ｃ−Ｃに沿って見た断面図である。
【図５】ゲートパネルの閉鎖状態をロックするためのロック手段を示す図である。
【図６】図５に示す状態からレバーを回動操作した後の状態を示す図である。
【図７】連結部材および回転軸の下方端部分と回転軸側側部フレームの下端部材との連結構造を示す図である。
【図８】図７の線Ｄ−Ｄに沿って見た断面図である。
【図９】図７に対応した図であり、連結部材および回転軸が上方に持ち上げられている状態を示している。
【図１０】図９の線Ｅ−Ｅに沿って見た断面図である。
【図１１】連結部材と回転軸側側部フレームの下端部材との連結部分を上から見た図であり、ゲートパネルがわずかに開いた状態を示している。
【符号の説明】
１  ゲートパネル、２  連結部材、３  回転軸、４  上方突出部、５  下方突出部、１０  枠体、１１  回転軸側側部フレーム、１１ａ  上端部材、１１ｂ  下端部材、１３  底部フレーム、１６  突出部受入溝、１７  第１溝、１８  第２溝、１９，２０  側壁、３０  レバー、３２  円弧状長孔、３４  基端リンク、３５  中間リンク、３６  先端リンク、４０  係止凹部、４１  引張りばね、５０  ねじりばね。
【図１】
2004150053.tif 000003
【図２】
2004150053.tif 000004
【図３】
2004150053.tif 000005
【図４】
2004150053.tif 000006
【図５】
2004150053.tif 000007
【図６】
2004150053.tif 000008
【図７】
2004150053.tif 000009
【図８】
2004150053.tif 000010
【図９】
2004150053.tif 000011
【図１０】
2004150053.tif 000012
【図１１】
2004150053.tif 000013